(57)【要約】【課題】携帯機からの脱落を長期に亘り抑制することができ、かつ大型の携帯機にも適用することが可能となる携帯機用保持具を提供すること。【解決手段】携帯機用保持具１０は、タブレットの背面を被吸着面として吸着される吸着装置Ｋと、吸着装置Ｋに設けられてユーザの指が掛けられる回動レバー部３３とを備えている。回動レバー部３３の回動操作に連動して吸着面２４の中央部が被吸着面から離間し、これによって吸着状態となる。回動レバー部３３は、中心軸部４１から軸直交方向へ離れた位置に偏らせて設けられている。吸着状態でこの回動レバー部３３にユーザの指が掛けられることにより、タブレットが保持可能となる。【選択図】図１
2013076436.tif 000002
【特許請求の範囲】
【請求項１】
携帯機の背面を被吸着面として吸着される吸着装置と、前記吸着装置に設けられ携帯機利用者の指が掛けられる指掛け部と、を備える携帯機用保持具であって、
前記吸着装置は、
厚さ方向における一方の面を前記被吸着面に吸着される吸着面とした吸盤と、
前記吸盤の厚さ方向における他方の面の中央部から前記厚さ方向に沿って前記他方の面から離れる側へ延びる軸部と、
前記軸部を軸方向に移動させるべく操作されるレバー部と、
前記レバー部の操作に連動して前記軸部を前記被吸着面から離れる側へ移動させる機構を有し、前記移動により前記吸着面の中央部を前記被吸着面から離間させた吸着状態とすることが可能な連動機構部と、
を備え、
前記指掛け部は、前記軸部から軸直交方向へ離れた位置に偏らせて設けられており、
前記吸着状態で前記指掛け部に携帯機利用者の指が掛けられることにより、前記携帯機が保持可能となることを特徴とする携帯機用保持具。
【請求項２】
前記指掛け部は、携帯機利用者の指を通すことが可能な環状に形成された環状部であり、
前記環状部における前記被吸着面側が、前記被吸着面に直交する方向にみて前記吸着面とほぼ同一高さ位置に設定されていることを特徴とする請求項１に記載の携帯機用保持具。
【請求項３】
前記環状部の前記軸部よりも軸線と直交する方向へ離れた側、かつ前記被吸着面から離れた側には、前記携帯機利用者の指が当接することにより前記被吸着面から離れる側へ移動するのを抑制する突部が形成されていることを特徴とする請求項２に記載の携帯機用保持具。
【請求項４】
前記環状部における前記突部の前記被吸着面寄りには、前記軸部側へ凸となる第１弧状部が形成されていることを特徴とする請求項３に記載の携帯機用保持具。
【請求項５】
前記環状部における前記軸部寄りの前記被吸着面から離れた側には、前記被吸着面側へ凸となる第２弧状部が形成されていることを特徴とする請求項２乃至４のいずれか１項に記載の携帯機用保持具。
【請求項６】
前記指掛け部の前記被吸着面からの最大離間位置が、前記吸着装置の前記被吸着面からの最大離間位置とほぼ同一に設定されていることを特徴とする請求項１乃至５のいずれか１項に記載の携帯機用保持具。
【請求項７】
前記吸盤の前記吸着面側にゲル層が形成されていることを特徴とする請求項１乃至６のいずれか１項に記載の携帯機用保持具。
【請求項８】
前記指掛け部は前記レバー部を兼用するものであることを特徴とする請求項１乃至７のいずれか１項に記載の携帯機用保持具。
【請求項９】
前記レバー部は、前記軸部の軸線を中心として周方向へ回動可能となるように設けられており、
前記連動機構部は、前記回動により前記吸着状態とその解除状態とに変更させるべく前記軸部を軸方向へ移動させるカム機構を有することを特徴とする請求項８に記載の携帯機用保持具。
【発明の詳細な説明】
【技術分野】
【０００１】
本発明は、携帯電話やタブレットなどの携帯機を保持する携帯機用保持具に関する。
【背景技術】
【０００２】
携帯電話やタブレットなどの携帯機を利用者が片手で持つ場合、操作の邪魔にならないようにするには、左右いずれか一方の縁部等の限定された部分を握るか、背面を支えることになることが考えられる。ただ、このような持ち方では不安定になりやすく、携帯機を落下させてしまうおそれがある。また、携帯機を握り続けることで利用者が疲れてしまうおそれもある。
【０００３】
そこで、携帯機を持つ場合の補助具として、携帯機用保持具が従来から提案されている。携帯機用保持具の代表例としては、吸盤と、その吸盤に固定されて指を引っ掛けることのできる指掛け部と、を備えたものがある（例えば、特許文献１〜４参照）。
【先行技術文献】
【特許文献】
【０００４】
【特許文献１】実用新案登録第３１０５１７０号公報
【特許文献２】実用新案登録第３１５０７４０号公報
【特許文献３】実用新案登録第３１５６４７４号公報
【特許文献４】特開２００７−５３６０３号公報
【発明の概要】
【発明が解決しようとする課題】
【０００５】
しかしながら、従来の携帯機用保持具では、吸盤を利用していくうちに吸着力が低下してしまったり、タブレット等の比較的大型の携帯機には十分な吸着力を機能させることができなかったりする問題がある。そのため、長期使用に耐えられず、場合によっては途中で保持具が脱落してしまうことにより携帯機を破損させるおそれもある。
【０００６】
本発明は、上記事情に鑑みてなされたものであり、携帯機からの脱落を長期に亘り抑制することができ、かつ大型の携帯機にも適用することが可能となる携帯機用保持具を提供することを主たる目的の一つとする。
【課題を解決するための手段】
【０００７】
上記課題を解決するために、第１の発明では、携帯機の背面を被吸着面として吸着される吸着装置と、前記吸着装置に設けられ携帯機利用者の指が掛けられる指掛け部と、を備える携帯機用保持具であって、
前記吸着装置は、
厚さ方向における一方の面を前記被吸着面に吸着される吸着面とした吸盤と、
前記吸盤の厚さ方向における他方の面の中央部から前記厚さ方向に沿って前記他方の面から離れる側へ延びる軸部と、
前記軸部を軸方向に移動させるべく操作されるレバー部と、
前記レバー部の操作に連動して前記軸部を前記被吸着面から離れる側へ移動させる機構を有し、前記移動により前記吸着面の中央部を前記被吸着面から離間させた吸着状態とすることが可能な連動機構部と、
を備え、
前記指掛け部は、前記軸部から軸直交方向へ離れた位置に偏らせて設けられており、
前記吸着状態で前記指掛け部に携帯機利用者の指が掛けられることにより、前記携帯機が保持可能となることを特徴とする。
【０００８】
この第１の発明によれば、まず、吸盤の吸着面により携帯機用保持具が被吸着面である携帯機の背面に吸着される。それに加え、レバー部を操作すると、吸着面の中央部が被吸着面から離間した吸着状態となり、その離間によって生じた被吸着面と吸着面との間の閉空間がほぼ真空の状態となり吸着力が強化される。これにより、携帯機からの脱落を長期に亘り抑制することができ、かつ比較的大型の携帯機にも適用することができる。
【０００９】
さらに、軸部からずらした状態で指掛け部が設けられているため、その指掛け部が被吸着面から離れすぎることがなく、携帯機利用者が携帯機用保持具を使用する際の指掛けを容易に行うことができる。
【００１０】
第２の発明では、前記指掛け部は、携帯機利用者の指を通すことが可能な環状に形成された環状部であり、
前記環状部における前記被吸着面側が、前記被吸着面に直交する方向にみて前記吸着面とほぼ同一高さ位置に設定されていることを特徴とする。
【００１１】
この第２の発明によれば、指掛け部が環状に形成されているため、複数の指で挟み込むような持ち方をしなくても済み、携帯機を楽な状態で保持することができる。また、環状部に通した指の周囲にその指が引っ掛かる箇所が存在するため、携帯機を不用意に落下させるおそれも低減できる。
【００１２】
また、この構成では、環状部の被吸着面側が被吸着面にほぼ当接する状態となることから、その当接により、指掛けによって携帯機を保持するうえでの安定感を向上させることができる。さらに、環状部が被吸着面に近い位置に設定されることになり、指掛けを容易に行えるという上記第１の発明の後段の効果が一層高まる。
【００１３】
第３の発明では、前記環状部の前記軸部よりも軸線と直交する方向へ離れた側、かつ前記被吸着面から離れた側には、前記携帯機利用者の指が当接することにより前記被吸着面から離れる側へ移動するのを抑制する突部が形成されていることを特徴とする。
【００１４】
この第３の発明によれば、例えば薬指を環状部に通したときであれば、小指が環状部の外側に配置されるが、この小指が突部の存在により被吸着面から離れにくくなるので、携帯機を裏面から安定した状態でしっかりと保持することができる。
【００１５】
第４の発明では、前記環状部における前記突部の前記被吸着面寄りには、前記軸部側へ凸となる第１弧状部が形成されていることを特徴とする。
【００１６】
この第４の発明によれば、例えば薬指を環状部に通したときであれば、小指が環状部の外側に配置されるが、この小指が第１弧状部に滑らかにガイドされた状態で配置されるので、自然にその位置に小指が配置されて突部による規制効果が発揮されやすく、かつ長時間保持していても指が痛くなりにくい。
【００１７】
第５の発明では、前記環状部における前記軸部寄りの前記被吸着面から離れた側には、前記被吸着面側へ凸となる第２弧状部が形成されていることを特徴とする。
【００１８】
この第５の発明によれば、例えば薬指を環状部に通したときであれば、中指が環状部の軸部側に配置されるが、この中指が第２弧状部に滑らかにガイドされた状態で配置されるので、自然にその位置に中指が配置されて保持効果が発揮されやすく、かつ長時間保持していても指が痛くなりにくい。
【００１９】
第６の発明では、前記指掛け部の前記被吸着面からの最大離間位置が、前記吸着装置の前記被吸着面からの最大離間位置とほぼ同一に設定されていることを特徴とする。
【００２０】
この第６の発明によれば、携帯機を手で持つのではなく、斜めに置こうとする場合にこの携帯機用保持具を台座として機能させることができる。しかも、携帯機用保持具は全体として横長に形成され、かつ長方形に近い形状となるため、携帯機を載置する載置面と当接する部分をより広く確保でき、安定した状態で斜め置きすることができる。
【００２１】
第７の発明では、前記吸盤の前記吸着面側にはゲル層が形成されていることを特徴とする。
【００２２】
この第７の発明によれば、吸盤にゲル層が設けられているため、そのゲル層の粘着力により吸盤を用いた吸着効果が一層発揮されやすい。
【００２３】
第８の発明では、前記指掛け部は前記レバー部を兼用するものであることを特徴とする。
【００２４】
この第８の発明によれば、レバー部が指掛け部を兼用するため部品点数の増大を抑えることができる。それに加えて、レバー部と指掛け部との両者が別々に存在する場合には、指掛け部に指を掛けた時にその指がレバー部に干渉することにも配慮しないといけないが、そのような制約をなくすことができる。
【００２５】
第９の発明では、前記レバー部は、前記軸部の軸線を中心として周方向へ回動可能となるように設けられており、
前記連動機構部は、前記回動により前記吸着状態とその解除状態とに変更させるべく前記軸部を軸方向へ移動させるカム機構を有することを特徴とする。
【００２６】
この第９の発明によれば、指掛け部を兼用するレバー部を軸部周方向への回動操作することにより、吸着状態とその解除状態とに変更される。このため、指掛け時に被吸着面から離れる側へ指掛け部に力がかかっても、吸着状態を解除する側への力とはならない。したがって、不用意に吸着状態が解除されることがない。
【図面の簡単な説明】
【００２７】
【図１】第１実施形態の携帯機用保持具を示す正面図。
【図２】第１実施形態の携帯機用保持具を示す平面図。
【図３】図２におけるＡ−Ａ断面図であり、（ａ）は一次吸着状態、（ｂ）は二次吸着状態を示している。
【図４】携帯機用保持具を吸着したタブレットの背面を示す図であり、（ａ）は一次吸着状態、（ｂ）は二次吸着状態の携帯機用保持具に指を掛けた様子を示している。
【図５】図４（ｂ）におけるＸ視を示す側面図。
【図６】携帯機用保持具の使用形態を示す斜視図。
【図７】携帯機用保持具の別の使用形態を示す一部側面図。
【図８】第２実施形態の携帯機用保持具を示す正面図。
【図９】第３実施形態の携帯機用保持具を示す正面図。
【発明を実施するための形態】
【００２８】
以下に、携帯機用保持具の第１実施形態を図１〜図７に基づいて説明する。この第1実施形態は、例えば、携帯電話よりひと回り大きい携帯機であるタブレットを保持対象とし、主に、そのタブレットを片手で保持するために使用される。
【００２９】
はじめに、携帯機用保持具の構成を、図１〜図３に基づいて説明する。図１は第1実施形態の携帯機用保持具を示す正面図、図２はその平面図である。また、図３は図２におけるＡ−Ａ断面図であり、（ａ）は一次吸着状態、（ｂ）は二次吸着状態をそれぞれ示している。なお、以下の説明で上下、水平方向を特定する場合、図１及び図３に図示された状態を基準とする。
【００３０】
携帯機用保持具１０は、図１及び図２に示すように、その基本構成として、保持具本体１１と、吸盤２１と、ロックレバー３１とを有している。
【００３１】
保持具本体１１は、硬質樹脂や金属等の剛性材料により形成され、平面視において円形状をなしている。保持具本体１１は、スカート状部１２と、立ち上がり部１３とを有している。スカート状部１２は、平面視における円中心側から外縁側に向かって傾斜する環状の外面を有している。立ち上がり部１３は、スカート状部１２の内側中央部において、そのスカート状部１２の上端縁から立ち上るように設けられ、立ち上がり部１３の上面は平面部１４となっている。保持具本体１１を構成するこれらスカート状部１２や立ち上がり部１３の内側には、図３の断面図に示すように内部空間１５が形成されている。
【００３２】
吸盤２１は、前記保持具本体１１の外縁よりもひと回り大きい径を有する円盤状に形成され、その厚さ方向の一面が保持具本体１１のスカート状部１２によって覆われた状態で、保持具本体１１に支持されている。この吸盤２１の円は、保持具本体１１の円と同軸となっている。
【００３３】
吸盤２１は、吸盤本体２２とゲル層２３とを有している。吸盤本体２２は、樹脂等の弾性材料により形成されている。ゲル層２３は、シリコン等の樹脂により形成された粘着ゲルである。ゲル層２３は、吸盤本体２２において、前記スカート状部１２に覆われた一面とは反対側の面に接着剤等で取り付けられている。ゲル層２３の前記吸盤本体２２とは反対側の表面が吸盤２１の吸着面２４とされ、ゲル層２３が有する粘着力により、被吸着面であるタブレットＴの背面Ｔａ（画像表示面とは反対側の面）に携帯機用保持具１０が吸着される。これが一次吸着状態である。
【００３４】
なお、吸盤本体２２の外縁には、径方向の外方向に向けて延在する取外し操作片２５が設けられている。この取外し操作片２５を用いることで、一次吸着状態にある携帯機用保持具１０を背面Ｔａから引き剥がすことができるようになっている。
【００３５】
ロックレバー３１は、一次吸着状態から二次吸着状態とするために操作されるレバーである。このロックレバー３１は、保持具本体１１及び吸盤２１の中心軸線を中心とし、保持具本体１１に対して回動可能に設けられている。タブレットＴの背面Ｔａに携帯機用保持具１０を吸着させた後、ロックレバー３１を初期位置からロック位置に手動で９０度回動させると（図２参照）、二次吸着状態となる。この二次吸着状態では、一次吸着状態よりも吸着面２４での吸着力が強化される。
【００３６】
かかるロックレバー３１の構成と、ロックレバー３１の回動操作により二次吸着状態とする構成について、もう少し詳しく説明する。
【００３７】
ロックレバー３１は、硬質樹脂や金属等の剛性材料により形成され、回動基部３２と、レバー部に相当する回動操作用の回動レバー部３３とを有している。このうち、回動基部３２は、反吸着面側（上側）に向かって径が徐々に小さくなる円柱状に形成されている。回動基部３２は前記保持具本体１１及び前記吸盤２１と同軸となるようにして、前記保持具本体１１における前記立ち上がり部１３の平面部１４に載置されている。回動基部３２の上側開口は、ドーム状をなす蓋部材３４によって閉塞されている。
【００３８】
図３（ａ）の断面図に示すように、前記回動基部３２の内部には傾斜カム面３５が形成されており、この後に述べる中心軸部４１のカム軸４２とともにカム機構を構成している。また、回動基部３２やこのカム機構により連動機構部が構成されている。なお、傾斜カム面３５は、図示された紙面の手前側にも形成されている。
【００３９】
中心軸部４１は前記吸盤２１に設けられており、軸部に相当する部材である。吸盤２１の吸盤本体２２は、その中心部に平面視円形状をなす膨出部２６が形成され、その膨出部２６では反吸着面側（上側）に盛り上がり、外周側よりも厚肉に形成されている。そして、この膨出部２６の中心部（吸盤２１の中心部）において、その平面に対して垂直をなすように（つまり吸盤本体２２の厚さ方向に）中心軸部４１が立設されている。中心軸部４１は硬質樹脂や金属等の剛性材料により形成され、中心軸部４１の吸着面側（下側）の端部は吸盤本体２２の膨出部２６に埋め込まれている。
【００４０】
中心軸部４１は前記保持具本体１１の内部空間１５に収容されるとともに、平面部１４に設けられた挿通孔１６に挿通され、上端部は前記ロックレバー３１の回動基部３２内へ突出してその回動基部３２内に収容されている。この回動基部３２内への突出部分は、回動基部３２内の内面と当接している。この当接により、平面部１４に載置された回動基部３２は保持具本体１１に一体的に取り付けられ、保持具本体１１、回動基部３２及び中心軸部４１の同軸状態が維持される。
【００４１】
中心軸部４１の上端部にはカム軸４２が設けられ、回動基部３２に設けられた前記傾斜カム面３５に係合している。保持具本体１１の内部空間１５では、平面部１４と吸盤本体２２の膨出部２６との間に円錐形のコイルスプリング４３が設けられている。コイルスプリング４３は中心軸部４１に挿通されており、その付勢力によりカム軸４２が傾斜カム面３５に押し付けられる。これにより、カム軸４２と傾斜カム面３５との係合状態が保持される。
【００４２】
上記のような構成を有することにより、ロックレバー３１を上述の初期位置からロック位置に向けて回動させると、次のような作用が生じる。
【００４３】
すなわち、傾斜カム面３５とカム軸４２とで構成されたカム機構により、傾斜カム面３５の変位にカム軸４２が倣うことで中心軸部４１は上方向に移動する。すると、図３（ｂ）に示すように、中心軸部４１の下端部が取り付けられている吸盤２１の中央部分が上方向に移動し、その部分ではタブレットＴの背面Ｔａから吸着面２４が離間する。吸着面２４ではその外周部でタブレットＴの背面Ｔａに吸着した状態が維持されるとともに、閉空間である内側空間部４４が形成された二次吸着状態となる。この内側空間部４４はほぼ真空の状態になっているため、二次吸着状態における吸着面２４では一次吸着状態よりも強固な吸着状態が得られる。
【００４４】
以上のように、携帯機用保持具１０では、保持具本体１１、吸盤２１、ロックレバー３１の回動基部３２、蓋部材３４及び中心軸部４１を含む各部材により吸着装置Ｋが構成されている。そして、この吸着装置Ｋにより、携帯機用保持具１０がタブレットＴの背面Ｔａに強固に吸着される。
【００４５】
ところで、この実施形態の携帯機用保持具１０は、上記のような基本構成に加え、ロックレバー３１の前記回動レバー部３３に特徴を有している。すなわち、回動レバー部３３は、二次吸着状態とするための操作レバーとしての機能だけではなく、タブレットＴを保持する際に携帯機利用者（ユーザ）が指を通したり、指を引っ掛けたりする指掛け部を兼用した構成となっている。このような回動レバー部３３の構成を次に説明する。
【００４６】
図１及び図２に戻って、回動レバー部３３は、回動基部３２からその中心軸線に直交する方向（水平方向）へ離れるように延出されて、吸着装置Ｋの真横に配置されている。より詳しく見ると、回動レバー部３３は、レバー基部５１と、環状部５２とを有している。
【００４７】
レバー基部５１は、その下端縁が回動基部３２の下端から保持具本体１１の立ち上がり部１３及びスカート状部１２に沿って延び、スカート状部１２の下端部に至っている。また、レバー基部５１の上端縁は吸着面２４側に向けて凹状で、かつ円弧状に形成されており、そこが中指を載せるようにして掛ける中指掛け部５３となっている。
【００４８】
環状部５２は前記レバー基部５１の外方に設けられ、薬指を通すことが可能となる薬指通し孔５４が形成されている。環状部５２の下縁部５２ａは前記レバー基部５１の下端よりもさらに下側に向けて延び、その最下端部は、吸着面２４と直交する方向（上下方向）にみて吸着面２４とほぼ同一の高さ位置に設定されている。そして、二次吸着状態では、下縁部５２ａの最下端部がタブレットＴの背面Ｔａにほぼ当接する状態となる（後述の図５を参照）。
【００４９】
環状部５２の上縁部５２ｂは、前記中指掛け部５３から上向きのなだらかな傾斜によって立ち上った後、ほぼ水平方向に向けて延びる形状を有している。そして、この上縁部５２ｂでは、吸着面２４からの高さが前記回動基部３２を閉塞する前記蓋部材３４の頂上部分よりも低い位置で、かつ同程度の高さとなるように形成されている（後述の図５を参照）。
【００５０】
さらに、環状部５２の外方縁部５２ｃは、下縁部５２ａから吸着面２４に対する垂直方向（上方向）に向けていったん立ち上った後、外方に向けて延びるように形成されている。このため、外方縁部５２ｃと上縁部５２ｂとは鋭角をなして結合し、それにより突部５５が形成されている。外方縁部５２ｃがこのような形状を有するため、突部５５の吸着面２４側は凹状となる円弧状をなしており、その円弧状部分が小指を引っ掛ける小指掛け部５６となっている。
【００５１】
次に、上述した構成を有するロックレバー３１を備えた携帯機用保持具１０について、その使用形態を図４〜図７に基づいて説明する。図４は携帯機用保持具１０を吸着したタブレットＴの背面Ｔａを示す図であり、（ａ）は携帯機用保持具１０を取り付けた一次吸着状態を示し、（ｂ）は二次吸着状態の携帯機用保持具１０に指を掛けた状態を示している（なお、利き手が右手の場合を想定している）。図５は図４（ｂ）におけるＸ視を示す側面図であり、図６は携帯機用保持具１０の使用形態を示す斜視図であり、図７は同じく携帯機用保持具１０の別の使用形態を示す一部側面図である。なお、以下の説明での上下左右方向はタブレットＴの通常の使用形態を基準とし、図４〜図７もその使用形態を基準とした図示となっている。
【００５２】
まず、図４（ａ）に示すように、携帯機用保持具１０を、その吸着面２４でタブレットＴの背面Ｔａに一次吸着させる。この場合の吸着位置としては、図示のように、背面Ｔａにおける上下方向の中央部付近で、左右の中央よりやや右寄りの位置に吸着面２４を配置することが好ましい。そして、この一次吸着の段階では、ロックレバー３１がタブレットＴの上下両辺部とほぼ平行となり、かつ右向きとなるようにして吸着させる。このとき、吸着面２４を若干押さえつけると、ゲル層２３の粘着力による吸着力が高められる。
【００５３】
次いで、ロックレバー３１を上記初期位置からロック位置に向けて時計回りに９０度回動させる。これにより、前述したように携帯機用保持具１０は二次吸着状態となり、吸着力が高められる。
【００５４】
図４（ｂ）に示すように、二次吸着状態にある携帯機用保持具１０は、そのロックレバー３１は下向きの状態となっている。この状態で、背面Ｔａの右側から左手の薬指Ｆ４を薬指通し孔５４に通すとともに、中指Ｆ３を中指掛け部５３に載置し、小指Ｆ５を小指掛け部５６に沿わせる。また、人差し指Ｆ２は中指Ｆ３との間に回動基部３２を挟みこむようにしてスカート状部１２に載置する。図５は、このときの各指Ｆ２〜Ｆ５の状態を示している。
【００５５】
ここで、この図５において基準線Ｌ１で示すように、携帯機用保持具１０では、吸着装置Ｋと回動レバー部３３とにおいて、タブレットＴの背面Ｔａ（吸着面２４と同一面）からの高さがほぼ同一となっている。つまり、吸着装置Ｋにおける蓋部材３４の頂点部分までの高さと、回動レバー部３３の突部５５までの高さがほぼ同一に設定されている。なお、図５の図示では、環状部５２の下縁部５２ａはその最下端が背面Ｔａと当接しているが、実際上は若干の隙間が存在しており、回動レバー部３３の回動時における背面Ｔａとの摺動が抑制されている。
【００５６】
タブレットＴを使用する場合には、上述の指を掛けた状態からタブレットＴを正面に向ける。そして、図６に示すように、タブレットＴの左辺側の縁部を左手の掌と親指Ｆ１とで支えることにより、タブレットＴを左手の片手で保持することができる。
【００５７】
そのほか、回動レバー部３３が吸着装置Ｋの中心軸線から離れるように設けられ、かつ回動レバー部３３と吸着装置Ｋの両者がほぼ同一の高さに設定されている構成を利用し、タブレットＴの左辺部Ｔｂを下側にした横置きも可能となる。この場合、図７に示すように、吸着装置Ｋにおける蓋部材３４と、回動レバー部３３における環状部５２の上縁部５２ｂ（この使用形態では下側に配置される）とが横方向に幅広な台座として利用される。
【００５８】
なお、携帯機用保持具１０をタブレットＴから取り外す場合には、装着するときとは逆のことを行えばよい。つまり、ロック位置に配置されているロックレバー３１を回動させて初期位置に戻す。すると、再び吸着面２４の全面がタブレットＴの背面Ｔａに吸着した状態となり、二次吸着状態が解除される。その後、取外し操作片２５をつまみながら、吸着面２４を背面Ｔａから剥がせば、携帯機用保持具１０を取り外すことができる。
【００５９】
以上のように、第１実施形態の携帯機用保持具１０によれば、以下に示す有利な効果を得ることができる。
【００６０】
（１）吸盤２１の吸着面２４により、携帯機用保持具１０がタブレットＴの背面Ｔａに一次吸着される。それに加え、ロックレバー３１を回動させると、吸着面２４の中央部が背面Ｔａから離間した二次吸着状態となり、これにより生じた内側空間部４４の真空状態によって吸着力が強化される。このため、タブレットＴから携帯機用保持具１０が脱落することを長期に亘り抑制することができ、かつタブレットＴのような比較的大型の携帯機にも適用することができる。
【００６１】
（２）ユーザの指を通したり引っ掛けたりする指掛け部分（中指掛け部５３等）を有する回動レバー部３３が、中心軸部４１からずれた状態で設けられている。このため、指掛け部分がタブレットＴの背面Ｔａから離れすぎることがなく、ユーザが携帯機用保持具１０を使用する際の指掛けを容易に行うことができる。
【００６２】
（３）環状部５２の薬指通し孔５４に薬指Ｆ４を通して指を掛ける構成となっているため、複数の指で指掛け部分を挟み込むような持ち方をしなくても済み、タブレットＴを楽な状態で持つことができる。また、タブレットＴを持つと環状部５２に薬指Ｆ４が引っ掛かるため、タブレットＴを不用意に落下させるおそれを低減できる。たとえば、病院の入院患者のように、タブレットＴを寝ながら保持する場合に、この効果は一層顕著なものとなる。
【００６３】
（４）環状部５２の下縁部５２ａは、その最下端部が吸着面２４とほぼ同一の高さに設定されている。そして、二次吸着状態ではその最下端部が吸着面２４とほぼ同一平面上に存在し、タブレットＴの背面Ｔａにほぼ当接する状態となる。このため、回動レバー部３３に指を掛けて背面Ｔａ側を支える場合に、下縁部５２ａの最下端部が背面Ｔａに当接して支えとなり、安定感を向上させることができる。また、環状部５２の薬指通し孔５４がタブレットＴの背面Ｔａに近い位置に設定されることになり、薬指Ｆ４の指掛けを容易に行えるという上記（２）の効果が一層高まる。
【００６４】
（５）回動レバー部３３に突部５５が形成されているため、薬指Ｆ４を薬指通し孔５４に通すと環状部５２の外側に配置される小指Ｆ５が、この突部５５の存在によりタブレットＴの背面Ｔａから離れにくくなる。これにより、タブレットＴを安定した状態でしっかりと保持することができる。
【００６５】
（６）環状部５２の外方縁部５２ｃには、突部５５の吸着面２４寄りに円弧状をなす小指掛け部５６が形成されている。このため、薬指Ｆ４を薬指通し孔５４に通すと環状部５２の外側に配置される小指Ｆ５は、小指掛け部５６に滑らかにガイドされる。これにより、自然にその位置に小指Ｆ５が配置されて突部５５による規制効果が発揮されやすく、かつ長時間保持していても指が痛くなりにくい。
【００６６】
（７）レバー基部５１の上縁部には、円弧状をなす中指掛け部５３が形成されている。このため、薬指Ｆ４を薬指通し孔５４に通すと環状部５２の中心軸部４１側に配置される中指Ｆ３が、中指掛け部５３に滑らかにガイドされた状態で配置される。これにより、自然にその位置に中指Ｆ３が配置されて保持効果が発揮されやすく、かつ長時間保持していても指が痛くなりにくい。
【００６７】
（８）回動レバー部３３の吸着面２４からの高さが、吸着装置Ｋの吸着面２４からの高さとほぼ同一に設定されている。このため、タブレットＴを手で持つのではなく、斜めに置こうとする場合にこの携帯機用保持具１０を台座として機能させることができる。しかも、携帯機用保持具１０は全体として横長に形成され、かつ長方形に近い形状となるため、タブレットＴを載置する載置面に当接する部分をより広く確保でき、安定した状態で斜め置きすることができる。
【００６８】
（９）吸盤２１にはゲル層２３が設けられ、そのゲル層２３によって吸着面２４が形成されている。これにより、ゲル層２３の粘着力による一次吸着状態が得られるため、吸盤２１を用いた吸着効果が一層発揮しやすいし、ロックレバー３１の回動も行いやすい。
【００６９】
（１０）回動レバー部３３は、二次吸着状態とするための操作レバーとしての機能だけではなく、ユーザが指を通したり、指を引っ掛けたりする指掛け部を兼用した構成となっている。このため、部品点数の増大を抑えることができる。また、操作レバーと指掛け部分との両者が別々に存在する場合、指掛け部分に指を掛けた時にその指が操作レバーに干渉することにも配慮しなければならないが、そのような制約をなくすことができる。
【００７０】
（１１）回動レバー部３３は、傾斜カム面３５とカム軸４２とを有するカム機構により、回動によって二次吸着状態とその解除状態とに変更する構成となっている。二次吸着状態の解除には回動が必要なため、回動レバー部３３への指掛け時に、タブレットＴの背面Ｔａから離れる側へ向けて力がかかっても、それは二次吸着状態を解除する側への力とはならない。これにより、不用意に二次吸着状態が解除されることがない。
【００７１】
なお、以上説明した第１実施形態に限らず、例えば以下に別例として示した形態で実施することもできる。
【００７２】
（ａ）上記第１実施形態では、ロックレバー３１の回動レバー部３３が薬指通し孔５４等の指掛け部分を兼用する構成としたが、ロックレバー３１と指掛け部分とが別々に設けられた構成を採用してもよい。その構成の一例となる第２実施形態及び第３実施形態の携帯機用保持具を、上記第１実施形態と異なる構成を中心に簡単に説明する。
【００７３】
（ａ−１）図８に示すように、第２実施形態の携帯機用保持具６０は、保持具本体６１、吸盤６２、ロックレバー６３及び指掛け部６４を備えている。ロックレバー６３はドーム状に形成された保持具本体６１の頂上部分に立設され、吸盤６２に取り付けられた中心軸部６５が連結されている。ロックレバー６３は中心軸部６５と直交方向を中心軸線として回動可能とされ、保持具本体６１側にカム部６３ａが設けられている。このカム部６３ａを支点としながら、ロックレバー６３を図示のように保持具本体６１に向けて倒すと、中心軸部６５が反吸着面側に移動して引き上げられ、吸着面６２ａの中央部が被吸着面（タブレットＴの背面Ｔａ）から離間する。これにより、第１実施形態と同様に、二次吸着状態が得られる。なお、この第２実施形態では、カム部６３ａと、保持具本体６１のカム部６３ａとの係合部分とで連動機構部が構成されている。
【００７４】
ロックレバー６３の先端部には、斜めに屈曲してなる突起片６６が設けられている。突起片６６は、二次吸着状態を解除すべくロックレバー６３を引き起こす際の引っ掛け部分として機能する。
【００７５】
一方、指掛け部６４は、保持具本体６１の外面に前記ロックレバー６３とは別に設けられている。指掛け部６４は薬指Ｆ４を通すことが可能となる環状に形成された環状部であり、その内側が薬指通し孔６７となっている。基準線Ｌ２にて示されているように、指掛け部６４の吸着面６２ａからの高さは、倒された状態のロックレバー６３の高さとほぼ同一となっている。指掛け部６４の外方縁部６４ａには、中心軸部６５側に向けて凸の弧状をなす小指掛け部６８が、第１実施形態と同様に形成されている。
【００７６】
上記の構成を有する携帯機用保持具６０では、指掛け部６４をタブレットＴの下側に向けて背面Ｔａに吸着させたうえで、ロックレバー６３を倒して二次吸着状態とする。背面Ｔａにおける携帯機用保持具６０の配置は、第１実施形態の携帯機用保持具１０と同様の位置であることが好ましい。
【００７７】
この状態で、第１実施形態の携帯機用保持具１０と同様、背面Ｔａの右側から左手の薬指Ｆ４を薬指通し孔６７に通す。そして、中指Ｆ３をロックレバー６３の基端部分と指掛け部６４との間に載置し、小指Ｆ５を小指掛け部６８に沿わせる。また、人差し指Ｆ２は中指Ｆ３との間にロックレバー６３の基端部分を挟みこむようにして、ロックレバー６３の上に載置する。このとき、ロックレバー６３の突起片６６が人差し指Ｆ２の支えとして機能する。
【００７８】
この第２実施形態の携帯機用保持具６０によっても、ロックレバー６３と指掛け部６４とが別々である点を除けば、上記第１実施形態の携帯機用保持具１０と同様の効果を得ることができる。
【００７９】
（ａ−２）図９に示すように、第３実施形態の携帯機用保持具７０も、保持具本体７１、吸盤７２、ロックレバー７３及び指掛け部７４を備えている。保持具本体７１は半球状に形成され、その頂上部分には弧状をなすロックレバー７３が跳ね上げられた状態で設けられている。
【００８０】
ロックレバー７３には、吸盤７２に取り付けられた中心軸部７５が連結されている。ロックレバー７３は中心軸部７５と直交方向を中心軸線として回動可能とされ、ロックレバー７３を図示のように保持具本体７１に向けて倒すと、ロックレバー７３も半球の一部を構成する。それとともに、中心軸部７５が反吸着面側に移動して引き上げられ、吸着面７２ａの中央部が被吸着面（タブレットＴの背面Ｔａ）から離間する。これにより、第１及び第２実施形態と同様に、二次吸着状態が得られる。なお、この第３実施形態では、ロックレバー７３の回動中心部分に連動機構部が設けられている。
【００８１】
一方、指掛け部７４は、指掛け基部７６、指掛け軸部７７及び指掛け球部７８を有している。指掛け基部７６は弧状をなすように形成され、前記保持具本体７１の外面から反吸着面側に突出している。指掛け基部７６の先端部には、中心軸部７５から離れる方向を向き、かつ反吸着面側へ斜めとなる向きに指掛け軸部７７が延び、その指掛け軸部７７の先端に球状をなす指掛け球部７８が設けられている。
【００８２】
上記の構成を有する携帯機用保持具７０では、指掛け部７４がタブレットＴの下側となるようにして背面Ｔａに吸着させたうえで、ロックレバー７３を倒して二次吸着状態とする。背面Ｔａにおける携帯機用保持具７０の配置は任意である。
【００８３】
この状態で、指掛け軸部７７を二本の指で挟みこむようにして携帯機用保持具７０を支えることにより、タブレットＴを保持することができる。この第３実施形態によれば、上記第１実施形態及び第２実施形態の携帯機用保持具１０，６０とは異なり、指掛け部７４が環状に形成されていない。しかし、強固な二次吸着状態で携帯機用保持具７０をタブレットＴに吸着させてその保持を容易に行える、という効果は得られる。
【００８４】
（ｂ）上記第１実施形態では、回動レバー部３３は環状部５２を有して薬指通し孔５４が形成されているが、環状部５２の下縁部５２ａや外方縁部５２ｃのいずれか一方又はその両者を省略し、非環状となる構成を採用してもよい。例えば、上縁部５２ｂのみの構成であれば、円弧状（アーチ状）をなす形状に形成することが考えられる。この非環状の構成であっても、少なくとも上縁部５２ｂを有することにより、非環状部分を、薬指Ｆ４を引っ掛けるための指掛け部として機能させることができる。
【００８５】
（ｃ）上記第１実施形態では、回動レバー部３３の環状部５２には突部５５が形成されるとともに、外方縁部５２ｃには小指掛け部５６が形成されているが、この突部５５や小指掛け部５６を省略した構成を採用してもよい。例えば、外縁が円形状又は楕円形状をなす環状部とすることが考えられる。小指掛け部５６を有する構成に比べれば小指Ｆ５を安定化させる機能は劣るものの、環状部５２の外縁部分に小指Ｆ５を当接させる等により小指Ｆ５を安定化させることは可能である。
【００８６】
また、小指掛け部５６を有する構成であっても、上記第１実施形態の円弧状とは異なる形状を採用してもよい。例えば、薬指通し孔５４側に凸となる鈍角のくの字形状をなす小指掛け部を有する構成が考えられる。
【００８７】
（ｄ）上記第１実施形態では、回動レバー部３３におけるレバー基部５１の上端縁には中指掛け部５３が形成されているが、これを省略した構成を採用してもよい。これを省略しても、レバー基部５１の上端縁に中指Ｆ３を載せることは可能だからである。また、中指掛け部５３を有する構成であっても、上記第１実施形態の円弧状とは異なる形状を採用してもよい。例えば、吸着面２４側に凸となる鈍角のくの字形状や台形状に形成することが考えられる。
【００８８】
（ｅ）上記第１実施形態では、吸着装置Ｋと回動レバー部３３との両者がほぼ同一の高さに設定されているが（図５参照）、それぞれが異なる高さとなるように設定した構成を採用してもよい。例えば、吸着装置Ｋの高さをより高く設定した構成とすれば、中指Ｆ３と人差し指Ｆ２とによる挟み込みがし易くなり、保持の安定化に寄与できる。逆に、回動レバー部３３の高さをより高く設定した構成とすれば、例えば、中指掛け部５３の窪みをより深く形成して、中指Ｆ３の指掛けをより安定化させることができる。
【００８９】
なお、このように互い違いの高さに設定する構成は、上述した第２実施形態の携帯機用保持具６０でも同様に採用することができる。
【００９０】
（ｆ）上記第１実施形態では、吸盤２１にゲル層２３が設けられているが、このゲル層２３を省略した構成を採用してもよい。ゲル層２３の粘着力を利用した一次吸着状態がなくても、ロックレバー３１の回動によって強固な吸着効果が得られるからである。もっとも、ゲル層２３による一次吸着とロックレバー３１の回動による二次吸着の相乗により吸着効果は格段に高まるため、その両者の構成を備えることが実際上は好ましい。
【００９１】
（ｇ）上記第１実施形態では、回動レバー部３３に設けられた各指掛け部分（中指掛け部５３、薬指通し孔５４及び小指掛け部５６）はそこに掛ける指が特定されているが、これは最適な使用態様を提案するものである。このため、それとは異なる指を各部に掛けて使用してもよい。この点は、上述した第２実施形態及び第３実施形態の携帯機用保持具６０，７０でも同様である。
【００９２】
（ｈ）タブレットＴの背面Ｔａにおける携帯機用保持具１０の配置位置や、ロック位置への回動を考慮して決める一次吸着段階でのロックレバー３１の向きは任意であり、ユーザの使用形態に応じて適宜の位置や向きに取り付けてよい。例えば、第１実施形態では利き手が右手であることを前提としているが、逆の左手である場合には、背面Ｔａにおいて左右の中央よりやや左寄りの位置に携帯機用保持具１０を配置することが好ましい。
【００９３】
（ｉ）上記第１実施形態では、比較的大型の携帯機であるタブレットＴを携帯機の例に挙げて説明したが、携帯機としてはこれに限られず、例えば携帯電話や携帯型音楽プレーヤ等であってもよい。
【符号の説明】
【００９４】
１０…携帯機用保持具、２１…吸盤、２３…ゲル層、２４…吸着面、３２…回動基部（連動機構部）、３３…回動レバー部（指掛け部、レバー部）、３５…傾斜カム面（連動機構部、カム機構）、４１…中心軸部（軸部）、４２…カム軸（連動機構部、カム機構）、５２…環状部、５３…中指掛け部（第２弧状部）、５５…突部、５６…小指掛け部（第１弧状部）、Ｋ…吸着装置、Ｔ…タブレット（携帯機）、Ｔａ…背面（被吸着面）。
【図１】
2013076436.tif 000003
【図２】
2013076436.tif 000004
【図３】
2013076436.tif 000005
【図４】
2013076436.tif 000006
【図５】
2013076436.tif 000007
【図６】
2013076436.tif 000008
【図７】
2013076436.tif 000009
【図８】
2013076436.tif 000010
【図９】
2013076436.tif 000011
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
携帯機の背面を被吸着面として吸着される吸着装置と、前記吸着装置に設けられ携帯機利用者の指が掛けられる指掛け部と、を備える携帯機用保持具であって、
前記吸着装置は、
厚さ方向における一方の面を前記被吸着面に吸着される吸着面とした吸盤と、
前記吸盤の厚さ方向における他方の面の中央部から前記厚さ方向に沿って前記他方の面から離れる側へ延びる軸部と、
前記軸部を軸方向に移動させるべく操作されるレバー部と、
前記レバー部の操作に連動して前記軸部を前記被吸着面から離れる側へ移動させる機構を有し、前記移動により前記吸着面の中央部を前記被吸着面から離間させた吸着状態とすることが可能な連動機構部と、
を備え、
前記指掛け部は、携帯機利用者の指を通すことが可能な環状に形成された環状部であり、かつ前記軸部から軸直交方向へ離れた位置に偏らせて設けられており、
前記環状部が前記吸盤の外周縁よりも外周側へ延びており、かつ前記環状部における前記被吸着面側が前記被吸着面に直交する方向にみて前記吸着面とほぼ同一高さ位置に設定されており、
前記吸着状態で前記環状部に携帯機利用者の指が挿入されることにより、前記携帯機が保持可能となることを特徴とする携帯機用保持具。
【請求項２】
前記環状部の前記軸部よりも軸線と直交する方向へ離れた側、かつ前記被吸着面から離れた側には、前記携帯機利用者の前記挿入された指とは異なる指が当接することにより前記被吸着面から離れる側へ移動するのを抑制する突部が形成されており、
前記環状部における前記突部の前記被吸着面寄りには、前記軸部側へ凸となる第１弧状部が形成されていることを特徴とする請求項１に記載の携帯機用保持具。
【請求項３】
前記環状部における前記軸部寄りの前記被吸着面から離れた側には、前記被吸着面側へ凸となる第２弧状部が形成されていることを特徴とする請求項１又は２に記載の携帯機用保持具。
【請求項４】
前記指掛け部の前記被吸着面からの最大離間位置が、前記吸着装置の前記被吸着面からの最大離間位置とほぼ同一に設定されていることを特徴とする請求項１乃至３のいずれか１項に記載の携帯機用保持具。
【請求項５】
前記吸盤の前記吸着面側にゲル層が形成されていることを特徴とする請求項１乃至４のいずれか１項に記載の携帯機用保持具。
【請求項６】
前記指掛け部は前記レバー部を兼用するものであることを特徴とする請求項１乃至５のいずれか１項に記載の携帯機用保持具。
【請求項７】
前記レバー部は、前記軸部の軸線を中心として周方向へ回動可能となるように設けられており、
前記連動機構部は、前記回動により前記吸着状態とその解除状態とに変更させるべく前記軸部を軸方向へ移動させるカム機構を有することを特徴とする請求項６に記載の携帯機用保持具。